(57)【要約】      （修正有）【課題】開放型の塗装ブースに気流を形成して塗装ミストの外部への飛散を防止すると共に、気流に乗って流れる塗装ミストを効率良く、低コストで捕集する。【解決手段】塗装ミスト捕集装置は塗装ブース１０３下方のピット１０５内に格納される捕集ユニットと、該捕集ユニットに対して中継ダクト１１を介して接続され、塗装ブース１０３内に気流を発生させるファンユニット２１と、該ファンユニット２１に対して一端が接続され、他端に設けられる排気口２９から外部にエアＡを排気する排気ダクト３１とを具備しており、上記捕集ユニットは上面と側面の何れか一方、又は双方にサイズが規格化された複数枚のフィルターパッドが着脱可能に取り付けられた捕集ボックスと、該捕集ボックス内を流れてきたエアＡを集めて中継ダクト１１に送るチャンバーボックス１３と、を備えることによって構成した。【選択図】図１０
0003132549.tif 000002
【実用新案登録請求の範囲】
【請求項１】
塗装ブース下方のピット内に格納される塗装ミスト捕集用の捕集ユニットと、
該捕集ユニットに対して中継ダクトを介して接続され、塗装ブース内及び上記捕集ユニット内に気流を発生させるファンユニットと、
該ファンユニットに対して一端が接続され、他端に設けられる排気口から外部にエアを排気する排気ダクトと、を具備しており、
上記捕集ユニットは上面と側面の何れか一方、又は双方にサイズが規格化された複数枚のフィルターパッドが着脱可能に取り付けられ、内部にエア流路が形成された捕集ボックスと、
該捕集ボックス内を流れてきたエアを集めて上記中継ダクトに送るチャンバーボックスとを備えていることを特徴とする塗装ミスト捕集装置。
【請求項２】
請求項１に記載の塗装ミスト捕集装置において、
上記捕集ボックスの上面と側面の一部にはフィルターパッドが取り付けられていない開口部が設けられていることを特徴とする塗装ミスト捕集装置。
【請求項３】
請求項１又は請求項２に記載の塗装ミスト捕集装置において、
上記捕集ボックスは上記チャンバーボックスに対して互いの一方の側面が面一になるように接続されており、上記チャンバーボックスにおける上記中継ダクトとの接続位置が上記捕集ボックスとの接続位置と軸線がずれるように配置されていることを特徴とする塗装ミスト捕集装置。
【請求項４】
請求項１又は請求項２に記載の塗装ミスト捕集装置において、
上記チャンバーボックスには複数の捕集ボックスと、独立したファンユニットに接続されている複数の中継ダクトが接続されており、上記チャンバーボックスにおける上記複数の中継ダクトとの接続位置が上記複数の捕集ボックスとの接続位置とそれぞれ軸線がずれるように配置されていることを特徴とする塗装ミスト捕集装置。
【請求項５】
前面と上面を除く３面が壁に囲まれた開放型の塗装ブースと、
該塗装ブースの床面に配置され、多数の通気口が形成されているグレーチングと、
該グレーチングの下方に設けられる捕集ユニット収納用のピットと、
該ピット内に収納される捕集ユニットを備えた塗装ミスト捕集装置と、を具備しており、
上記塗装ミスト捕集装置として請求項１〜請求項４の何れかの塗装ミスト捕集装置を適用したことを特徴とするピット型塗装ブース。
【請求項６】
請求項５に記載のピット型塗装ブースにおいて、
上記ピット内には単一のチャンバーボックスに１つの捕集ボックスが接続された捕集ユニットが左右に１ユニットずつ配置され、単一のチェンバーボックスに３つの捕集ボックスが接続された捕集ユニットが中央に１ユニット配置されていることを特徴とするピット型塗装ブース。
【考案の詳細な説明】
【技術分野】
【０００１】
本考案は、塗装作業中に発生する塗装ミストを気流に乗せてエアと共に搬送すると共に、その搬送経路の途中で塗装ミストとエアとに分離し、塗装ミストのみを捕集してエアは外部に排気する塗装ミスト捕集装置及び該塗装ミスト捕集装置の捕集ユニットをピット内に配置したピット型塗装ブースに関するものである。
【背景技術】
【０００２】
従来から密閉式の塗装ブースでは、塗装ブース内を負圧にして外部に塗装ミストが流れないようにしたり、塗装ブース内に気流を形成して塗装作業によって発生した塗装ミストを捕集する試みが行われている。
しかし密閉式の塗装ブースは設備コストの増大を招くと共に、ワークの搬入、搬出が困難になることから敬遠される場合も少なくない。
そしてこのような場合には開放型の塗装ブースが使用されることになるが、塗装ミストの飛散による汚れや周辺設備への付着による影響、或いは吸引による人体への影響が問題になっている。
尚、この種の塗装ミスト捕集装置の構成を開示するものとして、例えば、特許文献１がある。
【特許文献１】特開２００１−３００３７１号公報
【考案の開示】
【考案が解決しようとする課題】
【０００３】
上記背景技術及び背景技術が抱えていた問題点を踏まえて本考案が解決しようとする課題を整理すると、設備コストが安価でワークの搬入、搬出が容易な開放型の塗装ブースを使用することを前提として、該塗装ブース内を浮遊している塗装ミストの捕集機能を付加することによって塗装ミストの飛散による汚れと、周辺設備への付着による影響と、吸引による人体への影響とを回避することである。
【０００４】
本考案はこのような点に基づいてなされたものでその目的とするところは、塗装ブース下方のピット内の空間を利用することで、開放型の塗装ブースに気流を形成して塗装ミストの外部への飛散を防止すると共に、気流に乗って流れる塗装ミストを捕集して周辺環境への影響を大幅に低減し得る塗装ミスト捕集装置及び該塗装ミスト捕集装置を備えたピット型塗装ブースを提供することにある。
【課題を解決するための手段】
【０００５】
上記目的を達成するべく本願考案の請求項１による塗装ミスト捕集装置は、塗装ブース下方のピット内に格納される塗装ミスト捕集用の捕集ユニットと、該捕集ユニットに対して中継ダクトを介して接続され、塗装ブース内及び上記捕集ユニット内に気流を発生させるファンユニットと、該ファンユニットに対して一端が接続され、他端に設けられる排気口から外部にエアを排気する排気ダクトとを具備しており、上記捕集ユニットは上面と側面の何れか一方、又は双方にサイズが規格化された複数枚のフィルターパッドが着脱可能に取り付けられ、内部にエア流路が形成された捕集ボックスと、該捕集ボックス内を流れてきたエアを集めて上記中継ダクトに送るチャンバーボックスとを備えていることを特徴とするものである。
又、請求項２による塗装ミスト捕集装置は、請求項１に記載の塗装ミスト捕集装置において、上記捕集ボックスの上面と側面の一部にはフィルターパッドが取り付けられていない開口部が設けられていることを特徴とするものである。
又、請求項３による塗装ミスト捕集装置は、請求項１又は請求項２に記載の塗装ミスト捕集装置において、上記捕集ボックスは上記チェンバーボックスに対して互いの一方の側面が面一になるように接続されており、上記チャンバーボックスにおける上記中継ダクトとの接続位置が上記捕集ボックスとの接続位置と軸線がずれるように配置されていることを特徴とするものである。
又、請求項４による塗装ミスト捕集装置は、請求項１又は請求項２に記載の塗装ミスト捕集装置において、上記チェンバーボックスには複数の捕集ボックスと、独立したファンユニットに接続されており、上記チャンバーボックスにおける上記複数の中継ダクトとの接続位置が上記複数の捕集ボックスとの接続位置とそれぞれ軸線がずれるように配置されている複数の中継ダクトが接続されていることを特徴とするものである。
又、請求項５によるピット型塗装ブースは、前面と上面を除く３面が壁に囲まれた開放型の塗装ブースと、該塗装ブースの床面に配置され、多数の通気口が形成されているグレーチングと、該グレーチングの下方に設けられる捕集ユニット収納用のピットと、該ピット内に収納される捕集ユニットを備えた塗装ミスト捕集装置とを具備しており、上記塗装ミスト捕集装置として請求項１〜請求項４の何れかの塗装ミスト捕集装置を適用したことを特徴とするものである。
又、請求項６によるピット型塗装ブースは、請求項５に記載のピット型塗装ブースにおいて、上記ピット内には単一のチェンバーボックスに１つの捕集ボックスが接続された捕集ユニットが左右に１ユニットずつ配置され、単一のチェンバーボックスに３つの捕集ボックスが接続された捕集ユニットが中央に１ユニット配置されていることを特徴とするものである。
【考案の効果】
【０００６】
したがって、本考案による塗装ミスト捕集装置によると、塗装ブース下方のピ
ット内に格納される塗装ミスト捕集用の捕集ユニットと、該捕集ユニットに対して中継ダクトを介して接続され、塗装ブース内及び上記捕集ユニット内に気流を発生させるファンユニットと、該ファンユニットに対して一端が接続され、他端に設けられる排気口から外部にエアを排気する排気ダクトとを具備しており、上記捕集ユニットは上面と側面の何れか一方、又は双方にサイズが規格化された複数枚のフィルターパッドが着脱可能に取り付けられ、内部にエア流路が形成された捕集ボックスと、該捕集ボックス内を流れてきたエアを集めて上記中継ダクトに送るチャンバーボックスとを備えているので、塗装ブース下方のピット内を塗装ミストの捕集スペースとして利用でき、又、塗装ブース内に気流を形成する気流形成スペースとして利用できるから開放型の塗装ブースの有していた塗装ミストの飛散による汚れと、周辺設備への付着による影響と、吸引による人体への影響とが少ない設備コストで回避される。
又、捕集ボックスの上面と側面に取り付けられているフィルターパッドはサイズが規格化されており着脱可能であるから、使用に応じて適宜、新しいフィルターと交換することが可能である。又、チャンバーボックスを備えることで捕集ボックス内に流入したエアを効率良く、中継ダクト側へ排気することが可能になる。    
又、上記捕集ボックスの上面と側面の一部にフィルターパッドが取り付けられていない開口部を設けた場合には、フィルターパッドを介在させないで直接エアを取り込むことができる吸気口として作用するから塗装ブース内の気流の形成が容易になる。又、吸気口内にエアといっしょに流入してくる塗装ミストは捕集ボックス内を流れている途中で捕集ボックスの上面と側面に取り付けられているフィルターパッドによって捕集され、更に進入してもチャンバーボックスの対向する壁面に当接するから中継ダクト側への塗装ミストの進入は防止されている。
又、上記捕集ボックスを上記チャンバーボックスに対して互いの一方の側面が面一になるように接続した場合には、ピットの左右の壁面に対して密着させた状態で捕集ボックスをピット内に収納できるようになり、ピット内のスペースの有効利用ができるようになる。またチャンバーボックスの捕集ボックスに対する接続部とチャンバーボックスの中継ダクトに対する接続部との位置が直線上に位置しないようにずれるから中継ダクトへの塗装ミストの進入が防止される。
又、上記チャンバーボックスに複数の捕集ボックスと、独立したファンユニットに接続されている複数の中継ダクトが接続されている場合には、ピット内の中央スペースでの効率の良い捕集ボックスの配置が可能になり、複数の捕集ボックスを同時に設置できるから施工も容易になる。又、チャンバーボックスには独立したファンユニットに接続されているから気流の形成に十分なエアの排気量が確保されている。
又、本考案によるピット型塗装ブースによると、前面と上面を除く３面が壁に囲まれた開放型の塗装ブースと、該塗装ブースの床面に配置され、多数の通気口が形成されているグレーチングと、該グレーチングの下方に設けられる捕集ユニット収納用のピットと、該ピット内に収納される捕集ユニットを備えた塗装ミスト捕集装置とを具備しており、上記塗装ミスト捕集装置として請求項１〜請求項４の何れかの塗装ミスト捕集装置を適用しているので、グレーチングに形成されている多数の通気口によって塗装ブースとピットは連通され、上記通気口を通じて塗装ブース内を浮遊している塗装ミストをエアと共にピット内に取り込んで捕集ユニットによって当該塗装ミストを捕集することができる。
又、上記ピット内に単一のチャンバーボックスに１つの捕集ボックスが接続された捕集ユニットが左右に１ユニットずつと、単一のチャンバーボックスに３つの捕集ボックスが接続された捕集ユニットが中央に１ユニット配置した場合にはピット内の空間を効率良く利用して複数の捕集ボックスを適所に配置し、効率の良い塗装ミストの捕集ができるようになる。
【考案を実施するための最良の形態】
【０００７】
以下、図１乃至図１４を参照して、本考案の一実施の形態について説明する。
（１）第１の塗装ミスト捕集装置（図１〜図３、図１１参照）
図１は本考案の第１の塗装ミスト捕集装置の捕集ユニットを示す正面図、図２は同上の平面図、図３は同上の右側面図である。
この塗装ミスト捕集装置１は、図１１中、上部に位置する向って左側に配置される左サイドポジション用の塗装ミスト捕集装置１である。以下の説明では他の塗装ミスト捕集装置１と識別して使用する場合には符号の末尾に「Ｌ」をつけて塗装ミスト捕集装置１Ｌとして説明する。
【０００８】
塗装ミスト捕集装置１Ｌは塗装ブース１０３下方のピット１０５内の左側壁１０７に沿うように配置される塗装ミストＭ捕集用の捕集ユニット３を具備している。
捕集ユニット３は上面と側面にサイズが規格化された複数枚のフィルターパッド５が着脱可能に取り付けられ、内部にエア流路７が形成された捕集ボックス９と、該捕集ボックス９内を流れてきたエアＡを集めて後述する中継ダクト１１に送るチャンバーボックス１３とを備えている。
フィルターパッド５は一辺の長さが５００ｍｍ程度の正面視正方形状の平板状のペーパーフィルターによって構成されている塗装ミストＭ捕集用のパッドである。そして本実施の形態ではピット１０５の内方を向く捕集ボックス９の側面と捕集ボックス９の上面とに計３２枚のフィルターパッド５が取り付けられている。
【０００９】
捕集ボックス９は適宜の枠材とパネルによって構成されている縦長長尺形状の角箱状の部材である。捕集ボックス９は縦に３段、横に９列、奥行き方向１列、計２７個の格子状のセル１５によって構成されており、図１に示す中央の３面と、図２に示す中央の１面を除く捕集ボックス９の上面と側面のすべてに上記セル１５に合わせて上記フィルターパッド５が取り付けられている。
尚、上記フィルターパッド５が取り付けられていない部分が開口部１７になっており、この開口部１７が吸気口となって捕集ボックス９内に大量のエアＡを取り込めるようになっている。
【００１０】
チャンバーボックス１３は上記捕集ボックス９の基端側に取り付けられる捕集ボックス９より幅広で長さの短い角箱状の部材である。チャンバーボックス１３も捕集ボックス９と同様、適宜の枠材とパネルによって構成されており、捕集ボックス９と接続される側と反対側の面には円筒状をした接続用のソケット部１９がチャンバーボックス１３と連通状態で設けられている。
又、上記チャンバーボックス１３には上記捕集ボックス９が互いの外方側（図１１、図２中、上方側）の側面が面一になるように接続されている。そしてこのような態様によって捕集ボックス９とチャンバーボックス１３とを接続することによって図２に示すように捕集ボックス９とソケット部１９との軸線の位置がずれて、塗装ミストＭのソケット部１９への進入を防止すると共に、図１１に示すようなピット１０５の左側壁１０７に沿った捕集ユニット３の配置を可能にしているのである。
【００１１】
そして上記捕集ユニット３には上記ソケット部１９に対して中継ダクト１１の一端が接続されており、外方に延びる中継ダクト１１の他端には上記捕集ユニット３内に気流を発生させるファンユニット２１が接続されている。
ファンユニット２１は円筒状のファンケース２３と、該ファンケース２３内に収容される１基の軸流ファン２５と上記ファンケース２３の外部側傍に設けられるファンモータ２７と、ファンモータ２７の動力を軸流ファン２５に伝えるための図示しない動力伝達手段とを具備することによって構成されている。
【００１２】
上記ファンユニット２１の上方には上記ファンユニット２１に対して一端が接続され、他端に設けられる排気口２９から外部にエアＡを排気する排気ダクト３１が接続されている。
排気ダクト３１は垂直方向上方に延びる長尺の直管部３３と、該直管部３３の上端に接続されている曲管部３５とによって一例として構成されており、該曲管部３５の端面に上記排気口２９が形成されている。
又、上記ファンユニット２１と上記排気ダクト３１は矩形枠状の支持フレーム３７によって支持されており、これら諸部材を備えることによって塗装ミスト捕集装置１Ｌは構成されている。
【００１３】
次にこのようにして構成される塗装ミスト捕集装置１Ｌの作動態様について説明する。
ファンユニット２１の図示しない始動スイッチを押すことによってファンモータ２７を回転させると、ファンモータ２７の回転は図示しない動力伝達手段を介して軸流ファン２５に伝わり、該軸流ファン２５を所定の回転方向に所定の回転数で回転させる。
これによって塗装ブース１０３内と、ピット１０５と、塗装ミスト捕集装置１Ｌ内には塗装ブース１０３内のエアＡを塗装ミスト捕集装置１Ｌの排気口２９へと導く気流が形成される。
【００１４】
又、これに伴い、塗装ブース１０３内を浮遊している塗装ミストＭはエアＡと共に、捕集ユニット３内に取り込まれ、塗装ミストＭは捕集ボックス９の上面と側面に取り付けられている３２枚のフィルターパッド５によって捕集され、エアＡのみが中継ダクト１１、ファンケース２３、排気ダクト３１を通って排気口２９から外部に排気される。
したがって、本考案の第１の塗装ミスト捕集装置１Ｌによれば、塗装ブース１０３下方の使用されていなかった空間をピット１０５として利用し、該ピット１０５内に捕集ユニット３を配置したことにより、開放型の塗装ブース１０３にも対応することができ、塗装ミストＭの飛散による汚れと、周辺設備への塗装ミストＭの付着による影響と、塗装ミストＭを吸引することによる人体への影響とを低い設備コストで回避できるようになる。
【００１５】
（２）第２の塗装ミスト捕集装置（図４〜図６、図１１参照）
図４は本考案の第２の塗装ミスト捕集装置の捕集ユニットを示す正面図、図５は同上の平面図、図６は同上の右側面図である。
この塗装ミスト捕集装置１は図１１中、下部に位置する向って右側に配置される右サイドポジション用の塗装ミスト捕集装置１である。
以下の説明では他の塗装ミスト捕集装置１と識別して使用する場合には符号の末尾に「Ｒ」を付けて塗装ミスト捕集装置１Ｒとして説明する。
又、本塗装ミスト捕集装置１Ｒは上記第１の塗装ミスト捕集装置１Ｌと各構成部材は同じであり、捕集ユニット３とチャンバーボックス１３との接続位置を右サイドポジション用に変更しただけであるので、各構成部材の説明は省略し、各構成部材の符号も上記第１の塗装ミスト捕集装置１Ｌで使用した符号をそのまま使用する。
【００１６】
即ち、本実施の形態では上記チャンバーボックス１３には上記捕集ボックス９が互いの外方側（図１１、図５中、下方側）の側面が面一になるように接続されている。そしてこのような態様によって捕集ボックス９とチャンバーボックス１３とを接続することによって図５に示すように捕集ボックス９とソケット部１９との軸線の位置がずれて、塗装ミストＭのソケット部１９への進入を防止すると共に、図１１に示すようなピット１０５の右側壁１０９に沿った捕集ユニット３の配置を可能にしているのである。
【００１７】
そしてこのような本考案の第２の塗装ミスト捕集装置１Ｒによれば、上記第１の塗装ミスト捕集装置１Ｌと同様、塗装ブース１０３下方の未使用空間の有効利用を図ることができ、開放型の塗装ブース１０３にも対応することができ、塗装ミストＭの飛散による汚れ、周辺設備への付着及び吸引による人体への影響を低い設備コストで回避できるようになる。
【００１８】
（３）第３の塗装ミスト捕集装置（図７〜図９、図１１参照）
図７は本考案の第３の塗装ミスト捕集装置の捕集ユニットを示す正面図、図８は同上の平面図、図９は同上の右側面図である。
この塗装ミスト捕集装置１は図１１中、中央部に位置するセンターポジション用の塗装ミスト捕集装置１である。以下の説明では他の塗装ミスト捕集装置１と識別して使用する場合には符号の末尾に「Ｃ」を付けて塗装ミスト捕集装置１Ｃとして説明する。
又、本実施の形態に係る塗装ミスト捕集装置１Ｃは上記第１の塗装ミスト捕集装置１Ｌと、上記第２の塗装ミスト捕集装置１Ｒと各構成部材の基本的構成は同じであり、ここでは上記２つの塗装ミスト捕集装置と相違する構成に絞って説明し、同様に構成については上記説明中で使用した符号をそのまま使用し、その説明は省略する。
【００１９】
即ち本実施の形態では上記２つの実施の形態よりも更に幅広のチャンバーボックス１３が使用されており、該チャンバーボックス１３の左右と中央に計３基の捕集ユニット３を接続すると共に、これらの捕集ユニット３が接続されている面と反対側の面に２つのソケット部１９、１９を備えている。
そして上記２つのソケット部１９、１９には独立したファンユニット２１に接続されている別個の中継ダクト１１、１１が接続されている。
３基の捕集ユニット３はチャンバーボックス１３の中央に接続される縦に３段、横に７列、奥行き方向に１列の計２１個の格子状のセル１５によって構成されているセンター捕集ボックス９Ｃを備えるセンター捕集ユニット３Ｃと、チャンバーボックス１３の左右の端部に接続される縦に１段、横に８列、奥行き方向に１列の計８個の格子状のセル１５によって構成されているサイド捕集ボックス９Ｓを個別に備える２基のサイド捕集ユニット３Ｓ、３Ｓとによって構成されている。
【００２０】
このうちセンター捕集ユニット３Ｃにはセンター捕集ボックス９Ｃの左右の側面に１８枚ずつ計３６枚のフィルターパッド５が取り付けられている。又、センター捕集ボックス９Ｃの左右の側面の中央には３面ずつ計６面の開口部１７が形成されている。
一方、左右のサイド捕集ユニット３Ｓにはサイド捕集ボックス９Ｓの左右の側面に８枚ずつ計１６枚のフィルターパッド５が２組、計３２枚のフィルターパッド５が取り付けられている。
したがって、３基の捕集ユニット３全体で計６８枚のフィルターパッド５が取り付けられている。
【００２１】
そしてこのようにして構成される３基の捕集ユニット３と、２つのソケット部１９、１９は図８及び図１１に示すように互いに軸線位置がずれるように配置されており、上記第１の実施の形態と第２の実施の形態と同様、塗装ミストＭのソケット部１９、１９への進入が防止されている。
そしてこのような本考案の第３の塗装ミスト捕集装置１Ｃによれば、上記第１の塗装ミスト捕集装置１Ｌと、上記第２の塗装ミスト捕集装置１Ｒと同様、塗装ブース１０３下方の未使用空間の有効利用を図ることができ、開放型の塗装ブース１０３にも対応することができ、塗装ミストＭの飛散による汚れ、周辺設備への付着及び吸引による人体への影響を低い設備コストで回避できるようになる。
【００２２】
（４）ピット型塗装ブース（図１０〜図１４参照）
図１０は本実施の形態に係るピット型塗装ブースを示す正断面図、図１１は同上、グレーチングを取り外した状態の平面図、図１２は同上、図１０中のＸＩＩ−ＸＩＩ断面図、図１３は同上、グレーチングによってピットの上面が閉塞された状態を示す平面図、図１４は単体のグレーチングを拡大して示す平面図である。
ピット型塗装ブース１０１は前面と上面を除く左右の側面と後面との３面が壁に囲まれた開放型の塗装ブース１０３を備えている。
したがって、クレーン等を利用して上方から例えば重量のある鋳物のワークを搬入したり、前面側から塗装装置を搬入、搬出することができるようになっている。
【００２３】
上記塗装ブース１０３の床面にはピット１０５の上縁に設けた段差部１１１及び支持壁１１２と、ピット１０５の底面から垂直に上方に立ち上げられている一例として図１１に示すように１６本設けられている支柱１１３とによって支持されている計２５枚のグレーチング１１５が取り付けられている。
グレーチング１１５は図１４に示すような平面視正方形状をした剛性を有する平板状の部材であり、グレーチング１１５の表面には上下面を貫通する角穴状の通気口１１７が多数形成されている。
【００２４】
上記グレーチング１１５の下方には上記２種類、３基の捕集ユニット３を収納することができるピット１０５が形成されている。
尚、ピット１０５は幅が約６ｍ、奥行きが約６ｍ、深さが約２ｍの塗装ブース１０３の下方に形成される凹部空間であり、該ピット１０５に図１１に示すような配置で３基の捕集ユニット３が配置される。
又、上記支持壁１１２には各捕集ユニット３のチャンバーボックス１３に設けられている４つのソケット部１９を外部に出して外部に設けられる上記中継ダクト１１に接続するための４個の連絡開口部１１９が設けられている。
【００２５】
そして上記ピット１０５内に収納される各捕集ユニット３と接続される中継ダクト１１と、ファンユニット２１と、排気ダクト３１とを備える３種類の塗装ミスト捕集装置１を備えることによって第４の実施の形態に係るピット型塗装ブース１０１は構成されている。
上記ピット型塗装ブース１０１によれば、グレーチング１１５に形成されている多数の通気口１１７によって塗装ブース１０３とピット１０５とは連通され、上記通気口１１７を通じて塗装ブース１０３中を浮遊している塗装ミストＭをエアＡと共にピット１０５内に取り込んで捕集できるようになる。
又、上記２種類、３基の捕集ユニット３を上記のような配置でピット１０５内に収納することで、ピット１０５内の空間を最大限に大きく利用して効率の良い塗装ミストＭの捕集とエアＡの排気とを実行できるようになる。
【００２６】
尚、本考案は上述した実施の形態に限定されるものではない。
例えば、ピット１０５内に設ける捕集ユニット３の数や配置はピット１０５の大きさに応じて適宜変更が可能である。又、捕集ボックス９の上面と側面に取り付けられるフィルターパッド５の数や配置は捕集ボックス９の大きさや、捕集ボックス９のセル１５の数等に応じて適宜変更可能である。
【産業上の利用可能性】
【００２７】
本考案は、ワークに対して吹き付け塗装をする種々の塗装作業現場で利用でき、特に開放型の塗装ブースに適用することができる塗装ミスト捕集装置の製造、使用分野や塗装ミスト捕集機能を備えた塗装ブースの施工分野等で利用可能性を有する。
【図面の簡単な説明】
【００２８】
【図１】本考案の一実施の形態を示す図で、第１の塗装ミスト捕集装置の捕集ユニットを示す正面図である。
【図２】本考案の一実施の形態を示す図で、第１の塗装ミスト捕集装置の捕集ユニットを示す平面図である。
【図３】本考案の一実施の形態を示す図で、第１の塗装ミスト捕集装置の捕集ユニットを示す右側面図である。
【図４】本考案の一実施の形態を示す図で、第２の塗装ミスト捕集装置の捕集ユニットを示す正面図である。
【図５】本考案の一実施の形態を示す図で、第２の塗装ミスト捕集装置の捕集ユニットを示す平面図である。
【図６】本考案の一実施の形態を示す図で、第２の塗装ミスト捕集装置の捕集ユニットを示す右側面図である。
【図７】本考案の一実施の形態を示す図で、第３の塗装ミスト捕集装置の捕集ユニットを示す正面図である。
【図８】本考案の一実施の形態を示す図で、第３の塗装ミスト捕集装置の捕集ユニットを示す平面図である。
【図９】本考案の一実施の形態を示す図で、第３の塗装ミスト捕集装置の捕集ユニットを示す右側面図である。
【図１０】本考案の一実施の形態を示す図で、ピット型塗装ブースを示す正断面図である。
【図１１】本考案の一実施の形態を示す図で、グレーチングを取り外した状態のピット型塗装ブースを示す平面図である。
【図１２】本考案の一実施の形態を示す図で、図１０中のＸＩＩ−ＸＩＩ断面図である。
【図１３】本考案の一実施の形態を示す図で、グレーチングによってピットの上面が閉塞された状態を示す平面図である。
【図１４】本考案の一実施の形態を示す図で、単体のグレーチングを拡大して示す平面図である。
【符号の説明】
【００２９】
１  塗装ミスト捕集装置
３  捕集ユニット
３Ｃ  センター捕集ユニット
３Ｓ  サイド捕集ユニット
５  フィルターパッド
７  エア流路
９  捕集ボックス  
９Ｃ  センター捕集ボックス
９Ｓ  サイド捕集ボックス
１１  中継ダクト
１３  チャンバーボックス
１５  セル
１７  開口部
１９  ソケット部
２１  ファンユニット
２３  ファンケース
２５  軸流ファン
２７  ファンモータ
２９  排気口
３１  排気ダクト
３３  直管部
３５  曲管部
３７  支持フレーム
１０１  ピット型塗装ブース  
１０３  塗装ブース
１０５  ピット
１０７  左側壁
１０９  右側壁  
１１１  段差部
１１２  支持壁
１１３  支柱
１１５  グレーチング
１１７  通気口
１１９  連絡開口部
Ａ  エア
Ｍ  塗装ミスト
【図１】
0003132549.tif 000003
【図２】
0003132549.tif 000004
【図３】
0003132549.tif 000005
【図４】
0003132549.tif 000006
【図５】
0003132549.tif 000007
【図６】
0003132549.tif 000008
【図７】
0003132549.tif 000009
【図８】
0003132549.tif 000010
【図９】
0003132549.tif 000011
【図１０】
0003132549.tif 000012
【図１１】
0003132549.tif 000013
【図１２】
0003132549.tif 000014
【図１３】
0003132549.tif 000015
【図１４】
0003132549.tif 000016